(57)【要約】【課題】商用交流電源の停電時にＵＰＳから電源を供給するようになされたナースコールシステムにおいて、脱落呼出の誤報が発生することを防止する。【解決手段】商用交流電源の停電を検出する停電検出部２３と、商用交流電源の停電が検出された状態において、廊下灯３から送信されてきた脱落呼出信号を信号受信部２１が受信した場合に、脱落呼出信号のナースコール親機１への送信を停止するように信号送信部２２を制御する脱落呼出停止制御部２４とを備え、商用交流電源の停電時に電源が供給されないセンサ類がある場合に、当該センサ類の脱落が生じたと誤検出されて脱落呼出信号が発生したとしても、その脱落呼出信号に基づいて脱落呼出の報知動作がナースコール親機１にて行われないように制御することにより、脱落呼出の誤報がナースコール親機１で発生することを防止できるようにする。【選択図】図２
2018201783.tif 000002
【特許請求の範囲】
【請求項１】
商用交流電源の停電時に無停電電源装置から電源を供給するようになされたナースコールシステムであって、
上記ナースコールシステムへ給電を行う商用交流電源の停電を検出する停電検出部と、
上記停電検出部により上記商用交流電源の停電が検出された状態において、脱落呼出信号が送信されてきた場合、当該脱落呼出信号を無効化して、脱落呼出の報知動作がナースコール親機にて行われないように制御する脱落呼出停止制御部とを備えたことを特徴とするナースコールシステム。
【請求項２】
上記ナースコールシステムは、ナースコール親機と、廊下灯と、上記ナースコール親機と上記廊下灯との間に接続される制御機とを備えて構成され、
上記停電検出部および上記脱落呼出停止制御部は上記制御機に備えられ、
上記停電検出部は、上記無停電電源装置からの通知に基づいて、上記商用交流電源の停電を検出し、
上記脱落呼出停止制御部は、上記停電検出部により上記商用交流電源の停電が検出された状態において、上記脱落呼出信号が上記廊下灯から送信されてきた場合、上記脱落呼出信号を上記ナースコール親機に送信しないように制御することにより、上記廊下灯から受信した上記脱落呼出信号を無効化することを特徴とする請求項１に記載のナースコールシステム。
【請求項３】
上記ナースコールシステムは、ナースコール親機と、廊下灯と、上記ナースコール親機と上記廊下灯との間に接続される制御機とを備えて構成され、
上記停電検出部および上記脱落呼出停止制御部は上記ナースコール親機に備えられ、
上記停電検出部は、上記無停電電源装置からの通知に基づいて、上記商用交流電源の停電を検出し、
上記脱落呼出停止制御部は、上記停電検出部により上記商用交流電源の停電が検出された状態において、上記脱落呼出信号が上記制御機から送信されてきた場合、上記脱落呼出信号を受信したまま、または破棄するように制御することにより、上記制御機から受信した上記脱落呼出信号を無効化することを特徴とする請求項１に記載のナースコールシステム。
【請求項４】
上記脱落呼出停止制御部は、上記停電検出部により上記商用交流電源の停電が検出された場合、上記脱落呼出信号を受信したまま、または破棄することに代えて、上記脱落呼出の報知動作を強制停止するように制御することにより、上記制御機から受信した上記脱落呼出信号を無効化することを特徴とする請求項３に記載のナースコールシステム。
【請求項５】
上記ナースコールシステムはセンサ類を備えて構成され、
上記脱落呼出信号は、上記センサ類の脱落を報知するための信号であることを特徴とする請求項１〜４の何れか１項に記載のナースコールシステム。
【請求項６】
上記ナースコールシステムはナースコール子機を備えて構成され、
上記脱落呼出信号は、上記ナースコール子機の脱落を報知するための信号であることを特徴とする請求項１〜４の何れか１項に記載のナースコールシステム。
【発明の詳細な説明】
【技術分野】
【０００１】
本発明は、ナースコールシステムに関し、特に、商用交流電源の停電時に無停電電源装置から電源を供給するようになされたナースコールシステムに用いて好適なものである。
【背景技術】
【０００２】
一般に、病院や介護施設などでは、ナースコールシステムが用いられている。ナースコールシステムは、病院の患者が医師や看護師のサポートを必要とする際、または介護施設の被介護者が介護師のサポートを必要とする際に、患者や被介護者（以下、これらをまとめて単に「患者」と言う）が呼出ボタン等を押下することによって医師や看護師、介護師（以下、これらをまとめて「医療従事者」と言う）を呼び出すことができるように成されたシステムである。
【０００３】
多くのナースコールシステムは、病室内の各ベッドの近傍の壁に埋め込み設置される壁埋込形子機と、壁埋込形子機に接続されるナースコール子機と、医療従事者が常駐するナースステーションに設置されるナースコール親機と、病室や介護室等の各部屋の入口付近に設置される廊下灯と、ナースコール親機と廊下灯との間に接続される制御機とを備えて構成されている。
【０００４】
このように構成されたナースコールシステムにおいて、患者がナースコール子機の呼出ボタンを操作すると、ナースコール子機にて呼出信号が生成され、壁埋込形子機から廊下灯および制御機を介してナースコール親機に送信される。呼出信号を入力した廊下灯は、表示灯を点灯または点滅させることで、廊下灯が設置された病室内の患者が呼び出しを行ったことを表示する。また、呼出信号を入力したナースコール親機は、スピーカや表示ディスプレイ、表示ランプなどで構成される報知部を動作させて、呼び出しが行われたことを報知する。
【０００５】
ナースステーションに常駐している医療従事者は、ナースコール親機の報知部によって行われる報知により、患者が呼び出しを行ったことを把握することができる。この報知に応じて、医療従事者は、ナースコール親機のハンドセット等によって応答する。医療従事者が応答することにより、ナースコール親機とナースコール子機との間で通話を行うことが可能となる。
【０００６】
上記のように呼出ボタンを備えたナースコール子機の他に、患者の所定の状態を検出するセンサが使用される場合がある。このようなセンサの１つとして、ベッド下の床に敷いて使用するマットセンサが知られている。マットセンサは、重量センサ等により患者がマット上に乗ったことを検知すると、患者の徘徊（または、ベッドからの落下）を知らせる呼出信号を生成する。生成された呼出信号は、廊下灯および制御機を介してナースコール親機に送信され、ナースコール親機にて報知動作が実行される。
【０００７】
また、接触センサ、音圧センサまたは光センサを備えたセンサ子機も知られている。センサ子機は、これらのセンサが所定状態を検知すると、呼出信号を生成して出力する。例えば、センサ子機は、患者がセンサ子機の先端部に触れた状態を接触センサが検知したり、患者が息を吹き掛けたり声を出したりした状態を音圧センサが検知したり、患者が手や動かせる部位で光を遮った状態を光センサで検知したりすると、呼出信号を出力する。
【０００８】
また、ナースコール子機やセンサ類のプラグが壁埋込形子機から抜けて脱落の異常が生じると、脱落呼出が行われるようになされたナースコールシステムも知られている。すなわち、ナースコール子機やセンサ類の脱落が壁埋込形子機にて検知されると、脱落呼出信号が生成されてナースコール親機に送信され、ナースコール親機にて脱落呼出の報知動作が実行される。ここで、脱落の検知は、ナースコール子機やセンサ類と壁埋込形子機とのインタフェース部分に現れる電圧値の変化を監視することによって行うのが一般的である。
【０００９】
ところで、ナースコールシステムに用いられるナースコール子機やナースコール親機、制御機、廊下灯には、商用交流電源から常時給電が行われている。そのため、天災などにより商用交流電源が停電すると、ナースコールシステムに給電が行われなくなってしまい、ナースコールシステムが動作しなくなってしまうという問題が生じる。
【００１０】
このような問題を解決するために、商用交流電源から入力した電力を常時蓄積し、商用交流電源が停電した場合に、一定の期間だけ電力を供給するＵＰＳ（Uninterruptible Power Supply：無停電電源装置）をナースコールシステムに接続して、商用交流電源の停電時にＵＰＳからナースコールシステムに電力を供給するようにした技術が知られている（例えば、特許文献１参照）。
【００１１】
例えば、制御機からナースコール親機、廊下灯および壁埋込形子機に電源が供給されるようになされたナースコールシステムの場合、ＵＰＳを制御機に接続しておけば、商用交流電源の停電時にはＵＰＳから制御機を介してナースコール親機、廊下灯および壁埋込形子機に電源が供給され、壁埋込形子機に接続されたナースコール子機にも電源が供給される。
【００１２】
しかしながら、センサ類については、壁埋込形子機とは別の系統から商用交流電源をとっている場合がある。この場合、商用交流電源の停電時にＵＰＳからセンサ類には電源が供給されない。よって、センサ類以外のナースコールシステムはＵＰＳの電源により動作を継続し、センサ類だけに電源が供給されない状態となるため、センサ類の脱落が生じたと誤検出され、脱落呼出の誤報が発生してしまうという問題があった。
【先行技術文献】
【特許文献】
【００１３】
【特許文献１】特開２０１２−２４５０４８号公報
【発明の概要】
【発明が解決しようとする課題】
【００１４】
本発明は、このような問題を解決するために成されたものであり、商用交流電源の停電時にＵＰＳから電源を供給するようになされたナースコールシステムにおいて、脱落呼出の誤報が発生することを防止できるようにすることを目的とする。
【課題を解決するための手段】
【００１５】
上記した課題を解決するために、本発明では、商用交流電源の停電時にＵＰＳから電源を供給するようになされたナースコールシステムにおいて、商用交流電源の停電が検出された状態において、脱落呼出信号が送信されてきた場合に、当該脱落呼出信号を無効化して、脱落呼出の報知動作がナースコール親機にて行われないように制御している。
【発明の効果】
【００１６】
上記のように構成した本発明によれば、商用交流電源の停電時にＵＰＳからナースコールシステムに電源が供給される一方、別系統から電源をとっているためにＵＰＳからの電源が供給されない機器がある場合に、当該機器の脱落が生じたと誤検出されて、脱落呼出信号が発生したとしても、その脱落呼出信号に基づいて脱落呼出の報知動作がナースコール親機にて行われないように制御される。これにより、脱落呼出の誤報がナースコール親機で発生することを防止することができる。
【図面の簡単な説明】
【００１７】
【図１】本実施形態によるナースコールシステムの全体構成例を示す図である。
【図２】本実施形態による制御機の機能構成例およびＵＰＳの内部構成例を示すブロック図である。
【図３】本実施形態によるナースコールシステムの他の全体構成例を示す図である。
【図４】本実施形態によるナースコール親機および制御機の他の機能構成例を示すブロック図である。
【図５】本実施形態のナースコールシステムに適用可能なＵＰＳの他の内部構成例を示すブロック図である。
【発明を実施するための形態】
【００１８】
以下、本発明の一実施形態を図面に基づいて説明する。図１は、本実施形態によるナースコールシステムの全体構成例を示す図である。なお、ここでは病院に設置されるナースコールシステムを例にとって説明するが、本実施形態のナースコールシステムは、病院に設置されるものに限定されない。例えば、介護施設等に設置される場合にも適用可能である。
【００１９】
図１に示すように、本実施形態のナースコールシステムは、ナースコール親機１、制御機２、廊下灯３、壁埋込形子機４、ハンド形子機５、コンセント６、マットセンサ７およびＵＰＳ１０を備えて構成されている。
【００２０】
ナースコール親機１は、患者からの呼び出しに対する応答の操作または患者の呼び出しの操作を行うためのものであり、例えばナースステーションに設置される。また、ナースコール親機１は、マットセンサ７からのセンサ呼出に対する応答の操作を行うためにも使用される。
【００２１】
制御機２は、ナースコール親機１と廊下灯３との間に配置され、通話やデータの送受信に関する制御を行う。制御機２にはＵＰＳ１０が接続され、普段（非停電時）は当該ＵＰＳ１０を介して商用交流電源を受けている。制御機２は、ナースコール親機１、廊下灯３、壁埋込形子機４およびコンセント６に電源を供給する。これにより、ナースコール親機１、制御機２、廊下灯３、壁埋込形子機４およびコンセント６は、ＵＰＳ１０を介して入力される商用交流電源により動作する。
【００２２】
廊下灯３は、病院の各病室の入口付近外部に設置される。この廊下灯３は、表示装置を備え、病室内の患者名が表示されるとともに、病室内の患者が壁埋込形子機４またはハンド形子機５を用いて医療従事者の呼び出しを行うと、呼び出しが行われたことが表示されるようになっている。以下では、壁埋込形子機４およびハンド形子機５をまとめてナースコール子機と記すことがある。
【００２３】
壁埋込形子機４は、病室の各ベッド近傍の壁に埋め込み設置される。この壁埋込形子機４は、廊下灯３に接続されている。壁埋込形子機４は、患者が医療従事者を呼び出すための呼出ボタン、患者が医療従事者と会話を行うためのマイクおよびスピーカ、ハンド形子機５を接続するための接続端子を備えている。
【００２４】
壁埋込形子機４は、患者により呼出ボタンが操作されたときに、呼出信号を発生して廊下灯３に出力する。また、接続端子に接続されたハンド形子機５から呼出信号を受信すると、これを廊下灯３に転送する。また、壁埋込形子機４は、接続端子からハンド形子機５のプラグが抜ける脱落が生じたことを検出する機能を有している。壁埋込形子機４は、ハンド形子機５の脱落を検出すると、脱落呼出信号を発生して廊下灯３に出力する。
【００２５】
ハンド形子機５は、壁埋込形子機４の接続端子に接続される。ハンド形子機５は、患者が医療従事者を呼び出すための呼出ボタン、患者が医療従事者と会話を行うためのマイクおよびスピーカを備えている。ハンド形子機５は、患者により呼出ボタンが操作されたときに、呼出信号を発生して壁埋込形子機４に出力する。このハンド形子機５は、ＵＰＳ１０から制御機２、廊下灯３および壁埋込形子機４を介して入力される商用交流電源により動作する。
【００２６】
コンセント６は、病室の壁に埋め込み設置され、廊下灯３に接続されている。このコンセント６は、センサ類を接続するための接続端子を備えている。本実施形態では、センサ類の一例として、マットセンサ７が接続されている。また、コンセント６は、接続端子からマットセンサ７のプラグが抜ける脱落が生じたことを検出する機能を有している。コンセント６は、マットセンサ７の脱落を検出すると、脱落呼出信号を発生して廊下灯３に出力する。
【００２７】
マットセンサ７は、重量センサ等を備えたマット状の検知機器であり、患者がマット上に乗ったことを検知すると、患者の徘徊（または、ベッドからの落下）を知らせるセンサ呼出信号を発生して出力する。マットセンサ７には、ＵＰＳ１０からコンセント６までの供給系統とは別の系統から商用交流電源が直接供給されるようになっている。これにより、マットセンサ７は、別系統の商用交流電源により動作する。
【００２８】
ＵＰＳ１０は、商用交流電源の非停電時には、商用交流電源を入力し、その一部を制御機２に供給するとともに、一部を内部のバッテリに蓄積する。また、ＵＰＳ１０は、商用交流電源の停電時には、バッテリに蓄積されている電源を制御機２に供給する。このように、本実施形態のナースコールシステムは、商用交流電源の停電時にＵＰＳ１０から電源を供給するようになされている。
【００２９】
図２は、上記のように構成した制御機２の機能構成例およびＵＰＳ１０の内部構成例を示すブロック図である。図２に示すように、ＵＰＳ１０は、停電発生検知部１１、電源切替部１２およびバッテリ１３を備えている。また、制御機２は、信号受信部２１、信号送信部２２、停電検出部２３および脱落呼出停止制御部２４を備えている。
【００３０】
ＵＰＳ１０の停電発生検知部１１は、商用交流電源の停電発生を検知するためのものであり、停電の発生を検知したときに、電源切替部１２の切り替えを制御するとともに、停電発生の検知信号を制御機２に出力する。
【００３１】
電源切替部１２は、商用交流電源の非停電時には、端子Ａ側に切り替えられている。これにより、ＵＰＳ１０は、入力した商用交流電源の一部を電源切替部１２を介して制御機２に供給するとともに、一部をバッテリ１３に蓄積する。
【００３２】
これに対し、停電発生検知部１１により商用交流電源の停電発生が検知されると、電源切替部１２は、停電発生検知部１１の制御により、端子Ｂ側に切り替えられる。これにより、ＵＰＳ１０は、バッテリ１３に蓄積されている電源を制御機２に供給する。
【００３３】
制御機２の信号受信部２１は、廊下灯３から送られてくる各種の信号を受信する。信号送信部２２は、信号受信部２１にて受信した各種の信号をナースコール親機１に送信する。廊下灯３から送られてくる各種の信号は、ナースコール子機の呼出ボタンが患者により操作されたときに発生する呼出信号、マットセンサ７に患者が乗ったときに発生するセンサ呼出信号、ハンド形子機５が壁埋込形子機４から脱落したときまたはマットセンサ７がコンセント６から脱落したときに発生する脱落呼出信号である。
【００３４】
商用交流電源が停電したとき、ＵＰＳ１０のバッテリ１３に蓄積されている電源が、制御機２、廊下灯３および壁埋込形子機４を介してハンド形子機５に供給される。このため、商用交流電源の停電時においても、ハンド形子機５の脱落の誤検出は発生しない。これに対し、商用交流電源が停電すると、マットセンサ７には電源が供給されなくなる。このため、コンセント６に接続されているマットセンサ７に脱落が発生したことが誤検出され、コンセント６から廊下灯３を介して脱落呼出信号が制御機２に送信される。
【００３５】
停電検出部２３は、ナースコールシステムへ給電を行う商用交流電源の停電を検出する。具体的には、停電検出部２３は、ＵＰＳ１０の停電発生検知部１１から通知される停電検知信号を受信したときに、商用交流電源の停電が発生したことを検出する。
【００３６】
脱落呼出停止制御部２４は、停電検出部２３により商用交流電源の停電が検出された状態において、脱落呼出信号が廊下灯３から送信されてきた場合、当該脱落呼出信号を無効化して、脱落呼出の報知動作がナースコール親機１にて行われないように制御する。具体的には、脱落呼出停止制御部２４は、停電検出部２３により商用交流電源の停電が検出された場合、廊下灯３から送信されてきた脱落呼出信号を信号受信部２１が受信しても、その脱落呼出信号をナースコール親機１に送信しないように信号送信部２２を制御する。
【００３７】
このように構成した本実施形態によれば、商用交流電源の停電時にＵＰＳ１０からナースコールシステムに電源が供給される一方、別系統から電源をとっているためにＵＰＳ１０からの電源が供給されないセンサ類（例えばマットセンサ７）がある場合に、当該センサ類の脱落が生じたと誤検出されて、脱落呼出信号が発生したとしても、その脱落呼出信号に基づいて脱落呼出の報知動作がナースコール親機１にて行われないように制御される。これにより、脱落呼出の誤報がナースコール親機１で発生することを防止することができる。
【００３８】
なお、上記実施形態では、壁埋込形子機４とは別のコンセント６に対してマットセンサ７を接続する例について説明したが、本発明はこれに限定されない。例えば、壁埋込形子機４にマットセンサ７を接続するようにしてもよい。あるいは、壁埋込形子機４に分配器を接続し、当該分配器にハンド形子機５およびマットセンサ７を接続するようにしてもよい。この場合、分配器の構成によっては、商用交流電源の停電時に、ハンド形子機５およびマットセンサ７の両方にＵＰＳ１０からの電源が供給されなくなることがある。この場合、脱落呼出信号が発生するが、制御機２からナースコール親機１への転送が停止されることによって脱落呼出信号が無効化されるので、落呼出の誤報がナースコール親機１で発生することを防止することができる。
【００３９】
また、上記実施形態では、制御機２からナースコール親機１、廊下灯３および壁埋込形子機４に電源を供給するナースコールシステムの例において、制御機２にＵＰＳ１０を接続する構成について説明したが、本発明はこれに限定されない。例えば、ナースコール親機から他の各部に電源を供給するナースコールシステムに本発明を適用することも可能である。図３は、この場合におけるナースコールシステムの構成例を示す図である。
【００４０】
図３に示すナースコールシステムでは、ナースコール親機１’にはＵＰＳ１０が接続され、非停電時には当該ナースコール親機１’がＵＰＳ１０を介して商用交流電源を受けている。ナースコール親機１’は、制御機２’、廊下灯３、壁埋込形子機４およびコンセント６に電源を供給する。これにより、ナースコール親機１’、制御機２’、廊下灯３、壁埋込形子機４およびコンセント６は、ＵＰＳ１０を介して入力される商用交流電源により動作する。
【００４１】
図４は、図３に示したナースコール親機１’および制御機２’の機能構成例を示すブロック図である。図４に示すように、制御機２’は、図２と同様に信号受信部２１および信号送信部２２を備えているが、停電検出部２３および脱落呼出停止制御部２４を備えていない。これにより、制御機２’は、廊下灯３から受信した各種の信号（脱落呼出信号を含む）をナースコール親機１’に転送する。
【００４２】
一方、ナースコール親機１’は、停電検出部２３、脱落呼出停止制御部２４’、信号受信部２５および報知部２６を備えている。信号受信部２５は、制御機２’から送られてくる各種の信号を受信する。制御機２’から送られてくる各種の信号は、ナースコール子機の呼出ボタンが患者により操作されたときに発生する呼出信号、マットセンサ７に患者が乗ったときに発生するセンサ呼出信号、ハンド形子機５が壁埋込形子機４から脱落したときまたはマットセンサ７がコンセント６から脱落したときに発生する脱落呼出信号である。
【００４３】
報知部２６は、信号受信部２５が上述の各種の信号を受信したときに、所定の報知動作を実行する。ここで、報知部２６は、信号受信部２５が受信した信号の種類（呼出信号、センサ呼出信号、脱落呼出信号）に応じて、異なる内容の報知動作を実行する。
【００４４】
停電検出部２３は、図２に示した停電検出部２３と同様の機能を有するものである。脱落呼出停止制御部２４’は、停電検出部２３により商用交流電源の停電が検出された状態において、脱落呼出信号が制御機２’から送信されてきた場合、その脱落呼出信号を受信したまま、または破棄するように信号受信部２５を制御することにより、脱落呼出信号を無効化する。この場合、脱落呼出信号が報知部２６に供給されなくなるため、脱落呼出に応じた報知動作は実行されない。
【００４５】
なお、脱落呼出停止制御部２４’は、停電検出部２３により商用交流電源の停電が検出された場合、脱落呼出信号を受信したまま、または破棄するように信号受信部２５を制御することに代えて、報知部２６の動作を強制停止することにより、制御機２から受信した脱落呼出信号を報知部２６において無効化するようにしてもよい。
【００４６】
また、上記実施形態では、図２に示したように、ＵＰＳ１０が電源切替部１２を備え、非停電時は商用交流電源を外部に供給し、停電時はバッテリ１３の電源を外部に供給するタイプのＵＰＳ１０を用いる例について説明したが、使用可能なＵＰＳ１０のタイプはこれに限定されない。例えば図５に示すように、非停電時にも停電時にも、バッテリ１３にいったん蓄積した電源を外部に供給するタイプのＵＰＳ１０’を用いることも可能である。
【００４７】
その他、上記実施形態は、何れも本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【符号の説明】
【００４８】
１，１’  ナースコール親機
２，２’  制御機
３  廊下灯
４  壁埋込形子機（ナースコール子機）
５  ハンド形子機（ナースコール子機）
６  コンセント
７  マットセンサ（センサ類）
１０  ＵＰＳ
２３  停電検出部
２４，２４’  脱落呼出停止制御部
【図１】
2018201783.tif 000003
【図２】
2018201783.tif 000004
【図３】
2018201783.tif 000005
【図４】
2018201783.tif 000006
【図５】
2018201783.tif 000007